(57)【要約】      （修正有）【課題】記憶装置の帯域幅を低減することのできるディスプレイ装置を提供する。【解決手段】ディスプレイ装置１００はディスプレイパネル１０１およびタイミングコントローラー１０２を含む。ディスプレイパネルは出力画像に基づいて画面を表示する。タイミングコントローラーは受信ユニット、第１の変換ユニット、第２の変換ユニットおよび処理ユニットを含む。受信ユニットは第１の入力画像および第２の入力画像に基づいて処理画像および読取画像を生成する。第１の変換ユニットは処理画像を変換して第１の変換画像を生成する。第２の変換ユニットは読取画像を変換して第２の変換画像を生成する。処理ユニットは第１および第２の変換画像を処理して出力画像を生成する。処理画像および読取画像の解像度はディスプレイパネルの解像度より小さい。【選択図】図１
2013246440.tif 000002
【特許請求の範囲】
【請求項１】
ディスプレイ装置であって、
出力画像に基づいて画面を表示するディスプレイパネルと、
第１の入力画像および第２の入力画像に基づいて処理画像および読取画像を生成する受信ユニット、前記処理画像を変換して第１の変換画像を生成する第１の変換ユニット、前記読取画像を変換して第２の変換画像を生成する第２の変換ユニット、ならびに前記第１および第２の変換画像を処理して前記出力画像を生成する処理ユニット、を含むタイミングコントローラーと、
を含み、
前記処理画像および前記読取画像の解像度が前記ディスプレイパネルの解像度より小さい、ディスプレイ装置。
【請求項２】
前記第１の変換画像の解像度が前記処理画像の解像度より大きい、請求項１に記載のディスプレイ装置。
【請求項３】
前記第２の変換画像の解像度が前記読取画像の解像度より大きい、請求項１に記載のディスプレイ装置。
【請求項４】
前記第１の変換画像の解像度が前記ディスプレイパネルの解像度に等しい、請求項１に記載のディスプレイ装置。
【請求項５】
前記処理ユニットが前記第１および第２の変換画像に対してオーバードライブ処理を行う、請求項１に記載のディスプレイ装置。
【請求項６】
前記受信ユニットが、
前記読取画像を圧縮して圧縮画像を生成する圧縮モジュール、
前記圧縮画像を保存する保存モジュール、および
前記保存モジュールに保存された前記圧縮画像を解凍して前記処理画像を生成する解凍モジュール、
を含む、請求項１に記載のディスプレイ装置。
【請求項７】
前記受信ユニットが、
参考値に基づき前記読取画像を調整して調整画像を生成する調整モジュール、
前記調整画像を圧縮して第１の圧縮画像を生成する第１の圧縮モジュール、
前記第１の圧縮画像を保存する保存モジュール、および
前記保存モジュールに保存された前記第１の圧縮画像を解凍して前記処理画像を生成する第１の解凍モジュール、
をさらに含む、請求項１に記載のディスプレイ装置。
【請求項８】
前記受信ユニットが、
前記第１の入力画像を圧縮して第２の圧縮画像を生成すると共に、前記第２の圧縮画像を前記保存モジュール中に保存する第２の圧縮モジュール、および
前記保存モジュールに保存された前記第２の圧縮画像を解凍して前記読取画像を生成する第２の解凍モジュール、
をさらに含む、請求項７に記載のディスプレイ装置。
【請求項９】
前記参考値が前記処理画像である、請求項７に記載のディスプレイ装置。
【請求項１０】
前記調整モジュールが前記参考値および前記読取画像に対しオーバードライブ処理を行って前記調整画像を生成する、請求項９に記載のディスプレイ装置。
【請求項１１】
第１の入力画像および第２の入力画像を受信するステップ、
前記第１および第２の入力画像を保存すると共に、処理画像および読取画像を生成するステップ、
前記処理画像を変換して第１の変換画像を生成するステップ、
前記読取画像を変換して第２の変換画像を生成するステップ、
前記第１および第２の変換画像を処理して出力画像を生成するステップ、ならびに
前記出力画像をディスプレイ装置に提供して画面を表示させるステップ、
を含み、
前記処理画像および前記読取画像の解像度が前記ディスプレイ装置の解像度より小さい制御方法。
【請求項１２】
前記第１の変換画像の解像度が前記処理画像の解像度より大きい、請求項１１に記載の制御方法。
【請求項１３】
前記第１の変換画像の解像度が前記処理画像の解像度の４倍である、請求項１２に記載の制御方法。
【請求項１４】
前記第１の変換画像の解像度が前記ディスプレイ装置の解像度に等しい、請求項１２に記載の制御方法。
【請求項１５】
前記第１および第２の変換画像を処理するステップが、前記第１および第２の変換画像に対してオーバードライブ処理を行うものである、請求項１１に記載の制御方法。
【請求項１６】
前記読取画像を圧縮して圧縮画像を生成するステップ、
前記圧縮画像を保存するステップ、および
保存された前記圧縮画像を解凍して前記処理画像を生成するステップ、
をさらに含む請求項１１に記載の制御方法。
【請求項１７】
参考値に基づき前記読取画像を調整して調整画像を生成するステップ、
前記調整画像を圧縮して第１の圧縮画像を生成するステップ、
前記第１の圧縮画像を保存するステップ、および
保存された前記第１の圧縮画像を解凍して前記処理画像を生成するステップ、をさらに含む請求項１１に記載の制御方法。
【請求項１８】
前記第１の入力画像を圧縮して第２の圧縮画像を生成するステップ、
前記第２の圧縮画像を保存するステップ、および
保存された前記第２の圧縮画像を解凍して前記読取画像を生成するステップ、をさらに含む請求項１７に記載の制御方法。
【請求項１９】
前記参考値が前記処理画像である、請求項１７に記載の制御方法。
【請求項２０】
前記参考値に基づいて前記読取画像を調整するステップが、前記参考値および前記読取画像に対してオーバードライブ処理を行う、請求項１９に記載の制御方法。
【発明の詳細な説明】
【技術分野】
【０００１】
本発明はディスプレイ装置に関し、特に記憶装置の帯域幅を低減することのできるディスプレイ装置に関する。
【背景技術】
【０００２】
画質に優れかつ低価であるというメリットにより、これまでブラウン管がテレビおよびコンピュータのディスプレイとして用いられてきた。しかし、科学技術の進歩に伴って、次々に新たなフラットパネルディスプレイが開発されている。フラットパネルディスプレイの主な長所は、フラットパネルディスプレイのディスプレイパネルのサイズが大きい場合でも、その総体積に顕著な変化はないという点にある。  
【０００３】
しかしながら、フラットパネルディスプレイのディスプレイパネルの解像度が高くなるにつれて、ディスプレイパネルが必要とする画像データ量も大きくなってくる。大きなデータ量に対応するために、従来においては記憶装置の数および帯域幅を増やすという手法が採られていたが、これによってフラットパネルディスプレイの部品コストが高くなっていた。
【発明の概要】
【発明が解決しようとする課題】
【０００４】
記憶装置の帯域幅を低減することのできるディスプレイ装置およびその制御方法を提供する。
【課題を解決するための手段】
【０００５】
本発明は、ディスプレイパネルおよびタイミングコントローラーを含むディスプレイ装置を提供する。ディスプレイパネルは出力画像に基づいて画面を表示する。タイミングコントローラーは受信ユニット、第１の変換ユニット、第２の変換ユニットおよび処理ユニットを含む。受信ユニットは第１の入力画像および第２の入力画像に基づいて処理画像および読取画像を生成する。第１の変換ユニットは処理画像を変換して第１の変換画像を生成する。第２の変換ユニットは読取画像を変換して第２の変換画像を生成する。処理ユニットは第１および第２の変換画像を処理して出力画像を生成する。処理画像および読取画像の解像度はディスプレイパネルの解像度より小さい。
【０００６】
本発明はさらに、第１の入力画像および第２の入力画像を受信するステップ、第１および第２の入力画像を保存すると共に、処理画像および読取画像を生成するステップ、処理画像を変換して第１の変換画像を生成するステップ、読取画像を変換して第２の変換画像を生成するステップ、第１および第２の変換画像を処理して出力画像を生成するステップ、ならびに出力画像をディスプレイ装置に提供して画面を表示させるステップ、を含む制御方法を提供する。処理画像および読取画像の解像度はディスプレイ装置の解像度より小さい。
【０００７】
本発明の特徴および長所がより明らかかつ分かり易くなるよう、以下に好ましい実施形態を挙げ、添付の図面と対応させながら詳細に説明していく。
【発明の効果】
【０００８】
本発明によれば、記憶装置の帯域幅を大幅に低減することができる。
【図面の簡単な説明】
【０００９】
【図１】図１は本発明のディスプレイ装置の説明図である。
【図２】図２は本発明のタイミングコントローラーの可能な実施形態である。
【図３】図３は本発明のタイミングコントローラーの可能な実施形態である。
【図４】図４は本発明のタイミングコントローラーの可能な実施形態である。
【図５】図５は本発明のタイミングコントローラーの可能な実施形態である。
【図６】図６は本発明の制御方法の可能なフローチャートである。
【図７】図７は本発明の制御方法の可能なフローチャートである。
【発明を実施するための形態】
【００１０】
図１は本発明のディスプレイ装置の説明図である。図に示されるように。ディスプレイ装置１００はディスプレイパネル１０１およびタイミングコントローラー(timing controller，ＴＣＯＮ)１０２を備える。本実施形態において、タイミングコントローラー１０２は、フレキシブルプリント回路板（ＦＰＣ）１０３によりディスプレイパネル１０１を制御して、ディスプレイパネル１０１に画面を表示させる。本発明においてディスプレイパネル１０１の種類に限定はない。可能な１実施形態では、ディスプレイパネル１０１は自発光または反射型パネルであってよい。別の可能な実施形態において、ディスプレイパネル１０１の解像度は３８４０×２１６０である。
【００１１】
本発明においてディスプレイ装置１００の種類に限定はない。可能な１実施形態では、ディスプレイ装置１００は、個人用携帯情報端末（ＰＤＡ）、携帯電話（cellular phone）、デジタルカメラ、テレビ、全地球測位システム（ＧＰＳ）、車載モニター、航空用モニター、デジタルフォトフレーム（digital photo frame）、ノート型コンピュータまたはデスクトップ型コンピュータである。
【００１２】
本実施形態において、ディスプレイパネル１０１は走査群１１０、１２０、データ群１３０および表示領域１６０を含むが、本発明はこれらに限定はされない。他の実施形態においては、表示領域１６０に画面を表示させることのできる回路構造あれば、いずれもディスプレイパネル１０１中に適用することができる。
【００１３】
図に示されるように、走査群１１０および１２０は表示領域１６０の両側に配され、かつ複数の走査信号を表示領域１６０内の画素（pixel）に供給するのに用いられるゲートドライバ(gate driver)１１１〜１１８を備える。本発明では、走査群の数および位置に限定はない。可能な１実施形態において、ディスプレイパネル１０１は単一の走査群のみを有し、表示領域１６０の任意の一側に配置される。別の可能な実施形態においては、走査群１１０および１２０のゲートドライバの数と表示領域１６０内の画素数とは比例する。
【００１４】
本実施形態において、データ群１３０は、複数のデータ信号を表示領域１６０内の画素に供給するのに用いられるソースドライバ (source driver)１３１〜１５４を備える。本発明では、ソースドライバの数に限定はない。可能な１実施形態において、ソースドライバの数と表示領域１６０の画素数とは関連している。
【００１５】
タイミングコントローラー１０２は、一連の入力画像ＳＩに基づき一連の出力画像ＳＤＡＴＡを生成し、ディスプレイパネル１０１に与えて連続する画像を表示させるようにする。本発明では入力画像ＳＩのフォーマットに限定はない。可能な１実施形態において、入力画像ＳＩは低電圧差動信号（Low-voltage differential signaling，ＬＶＤＳ）のフォーマットである。
【００１６】
図２は本発明のタイミングコントローラーの可能な１実施形態である。タイミングコントローラー１０２は入力画像ＳＩ１およびＳＩ２を順次受信すると共に、出力画像ＳＤＡＴＡ１〜ＳＤＡＴＡ２を順次生成する。本実施形態において、タイミングコントローラー１０２は受信ユニット２０１、変換ユニット２０２、２０３および処理ユニット２０４を含む。
【００１７】
受信ユニット２０１は入力画像ＳＩ１、ＳＩ２に基づいて読取画像ＳＲ１およびＳＲ２を生成する。本実施形態において、受信ユニット２０１は、入力画像ＳＩ１、ＳＩ２を保存すると共に、入力画像ＳＩ１、ＳＩ２を読取画像ＳＲ１およびＳＲ２とするのに用いられる保存モジュール２０５を含む。可能な１実施形態において、読取画像ＳＲ１およびＳＲ２の解像度は入力画像ＳＩ１およびＳＩ２の解像度に等しいものであり、例えば１９２０×１０８０である。
【００１８】
本実施形態において、受信ユニット２０１はさらに処理画像ＳＰ０〜ＳＰ１を提供する。本発明では処理画像ＳＰ０〜ＳＰ１と読取画像ＳＲ１〜ＳＲ２との間の関係に限定はない。可能な１実施形態において、処理画像ＳＰ０〜ＳＰ１の解像度は読取画像のＳＲ１〜ＳＲ２の解像度に等しい。別の可能な１実施形態において、処理画像ＳＰ０は事前設定画像であり、処理画像ＳＰ１は読取画像ＳＲ１と同じものである。その他の実施形態では、処理画像ＳＰ０〜ＳＰ１と読取画像ＳＲ１〜ＳＲ２の解像度はいずれもディスプレイパネル１０１の解像度（例えば３８４０×２１６０）よりも小さい。  
【００１９】
変換ユニット２０２は読取画像ＳＲ１〜ＳＲ２を変換して、変換画像ＳＴ２１〜ＳＴ２２を生成する。本実施形態において、変換ユニット２０２による処理後、変換画像ＳＴ２１〜ＳＴ２２の解像度は読取画像ＳＲ１〜ＳＲ２の解像度より大きい。可能な１実施形態では、変換画像ＳＴ２１およびＳＴ２２の解像度はディスプレイパネル１０１の解像度に等しい。
【００２０】
変換ユニット２０３は処理画像ＳＰ０およびＳＰ１を変換して、変換画像ＳＴ３１およびＳＴ３２を生成する。同様に、変換ユニット２０３による処理後、変換画像ＳＴ３１〜ＳＴ３２の解像度は処理画像ＳＰ０およびＳＰ１の解像度より大きい。本実施形態において、変換画像ＳＴ３１〜ＳＴ３２の解像度もディスプレイパネル１０１の解像度に等しい。
【００２１】
本発明では変換ユニット２０２および２０３の回路構造に限定はない。変換ユニット２０２を例にとると、読取画像ＳＲ１およびＳＲ２の解像度を調整することができれば、どのような回路構造でも変換ユニット２０２とすることができる。可能な１実施形態において、変換ユニット２０２は計数器(SCALER)または超解像度(super resolution)処理器である。
【００２２】
処理ユニット２０４は変換ユニット２０２および２０３の出力を処理し、出力画像ＳＤＡＴＡ１およびＳＤＡＴＡ２を生成する。ディスプレイパネル１０１は順次、出力画像ＳＤＡＴＡ１およびＳＤＡＴＡ２に基づいて、２つの画面を表示する。本発明では処理ユニット２０４が変換ユニット２０２および２０３の出力をどのように処理するかについて限定はない。可能な１実施形態において、処理ユニット２０４は変換ユニット２０２および２０３の出力に対してオーバードライブ(over-driving；ＯＤ)処理を行う。 
【００２３】
本実施形態では、ＯＤ処理を行うために、変換ユニット２０２は第１の経路２１０を提供して現在の画像情報を伝送し、変換ユニット２０３は第２の経路を提供して前の画像情報を伝送する。処理ユニット２０４は経路２１０および２２０上の画像情報に対してＯＤ処理を行う。
【００２４】
第１の期間において、保存モジュール２０５は入力画像ＳＩ１を保存し、入力画像ＳＩ１に基づいて読取画像ＳＲ１を提供する。本実施形態では、読取画像ＳＲ１は入力画像ＳＩ１に等しいものである。入力画像ＳＩ１は第１の画像情報であるため、保存モジュール２０５は事前設定画像（例えばＳＰ０）を提供する。このとき、処理画像ＳＰ０は前の画像情報となる。
【００２５】
変換ユニット２０２および２０３は読取画像ＳＲ１および処理画像ＳＰ０をそれぞれ変換して、変換画像ＳＴ２１およびＳＴ３１を生成する。処理ユニット２０４は現在の画像（すなわち変換画像ＳＴ２１）および前の画像（すなわち変換画像ＳＴ３１）に対しＯＤ処理を行って、出力画像ＳＤＡＴＡ１を生成する。
【００２６】
第２の期間において、保存モジュール２０５は別の入力画像ＳＩ２を保存し、入力画像ＳＩ２に基づいて読取画像ＳＲ２を出力する。本実施形態では、読取画像ＳＲ２は入力画像ＳＩ２に等しいものである。入力画像ＳＩ２は第２の画像であるため、保存モジュール２０５は前の画像（すなわち入力画像ＳＩ１）を処理画像ＳＰ１とする。
【００２７】
変換ユニット２０２および２０３は読取画像ＳＲ２および処理画像ＳＰ１をそれぞれ変換して、変換画像ＳＴ２２およびＳＴ３２を生成する。処理ユニット２０４は変換画像ＳＴ２２およびＳＴ３２に対しＯＤ処理を行って、別の出力画像ＳＤＡＴＡ２を生成する。
【００２８】
本実施形態では、保存モジュール２０５が保存する画像の解像度はディスプレイパネル１０１の解像度よりも小さいため、保存モジュール２０５の帯域幅を低減することができる。４ｋ２ｋ（３８４０×２１６０）のディスプレイパネルを例にとると、入力画像ＳＩ１およびＳＩ２の解像度がいずれも３８４０×２１６０である場合、受信ユニット２０１は、保存モジュールの数およびその帯域幅を増加させなければ、こうした大きい画像情報を処理することはできない。しかし、本実施形態では、入力画像ＳＩ１およびＳＩ２の解像度はいずれもディスプレイパネルの解像度より小さいため、保存モジュール２０５の数およびその帯域幅は増加しない。
【００２９】
図３は本発明のタイミングコントローラーの別の可能な実施形態である。図３は図２に類似しており、相違するのは、図３の受信ユニット３０１が保存モジュール３０５、圧縮モジュール３０６および解凍モジュール３０７を含む点である。図３の変換ユニット３０２、３０３および処理ユニット３０４の動作原理は図２の変換ユニット２０２、２０３および処理ユニット２０４に類似するので、重ねて説明はしない。
【００３０】
本実施形態において、変換ユニット３０２が読取画像ＳＲ１またはＳＲ２を変換するとき、圧縮モジュール３０６は読取画像ＳＲ１またはＳＲ２を圧縮して、圧縮画像ＳＲＣ１またはＳＲＣ２を生成する。解凍モジュール３０７は保存モジュール３０５内の圧縮画像ＳＲＣ０またはＳＲＣ１を解凍すると共に、解凍結果（すなわち解凍画像ＳＲＣＤ０またはＳＲＣＤ１）を処理画像ＳＰ０またはＳＰ１とする。
【００３１】
圧縮モジュール３０６は圧縮画像ＳＲＣ１またはＳＲＣ２を保存モジュール３０５に保存して、保存モジュール３０５に先に保存されていた未圧縮画像（例えばＳＩ１またはＳＩ２）と置き換えるため、保存モジュール３０５の帯域幅を低減することができる。
【００３２】
図４は本発明のタイミングコントローラーの別の可能な実施形態である。図４は図３に類似しており、相違するのは、図４の受信ユニット４０１が調整モジュール４０８をさらに含む点である。図４の変換ユニット４０２、４０３および処理ユニット４０４の動作原理は図３の変換ユニット３０２、３０３および処理ユニット３０４に類似するので、重ねて説明はしない。
【００３３】
本実施形態において、変換ユニット４０２が読取画像ＳＲ１またはＳＲ２を処理するとき、調整モジュール４０８は参考値ＳＲＥＦ１またはＳＲＥＦ２に基づき読取画像ＳＲ１またはＳＲ２を調整して、調整画像ＳＡ１またはＳＡ２を生成する。圧縮モジュール４０６は調整画像ＳＡ１またはＳＡ２を圧縮すると共に、圧縮後の結果（圧縮画像ＳＡＣ１〜ＳＡＣ２）を保存モジュール４０５に保存する。
【００３４】
本発明では参考値ＳＲＥＦ１〜ＳＲＥＦ２のソースに限定はない。可能な１実施形態において、参考値ＳＲＥＦ１〜ＳＲＥＦ２はいずれも事前に設定された値である。別の可能な実施形態では、参考値ＳＲＥＦ１〜ＳＲＥＦ２は前の画像情報、例えば処理画像ＳＰ０およびＳＰ１である。
【００３５】
また、本発明では調整モジュール４０８がどのように読取画像ＳＲ１〜ＳＲ２を調整するかについて限定はない。可能な１実施形態において、調整モジュール４０８はＯＤ処理を行う。読取画像ＳＲ２を例にとると、調整モジュール４０８は参考値ＳＲＥＦ２および読取画像ＳＲ２に対してＯＤ処理を行って、調整画像ＳＡ２を生成する。この参考値ＳＲＥＦ２は処理画像ＳＰ１である。
【００３６】
図５は本発明のタイミングコントローラーの別の可能な実施形態である。図５は図４に類似しており、相違するのは、図５の受信ユニット５０１が圧縮モジュール５０９および解凍モジュール５１０をさらに含む点である。図５の変換ユニット５０２、５０３および処理ユニット５０４の動作原理は図４の変換ユニット４０２、４０３および処理ユニット４０４に類似するので、重ねて説明はしない。
【００３７】
圧縮モジュール５０９は入力画像ＳＩ１およびＳＩ２を圧縮して、圧縮画像ＳＣ１、ＳＣ２を生成し、かつ圧縮画像ＳＣ１、ＳＣ２を保存モジュール５０５中に保存する。解凍モジュール５１０は保存モジュール５０５に保存された圧縮画像ＳＣ１、ＳＣ２を解凍して、解凍画像ＳＣＤ１、ＳＣＤ２を生成する。本実施形態では、解凍画像ＳＣＤ１、ＳＣＤ２は読取画像ＳＲ１、ＳＲ２となる。
【００３８】
図６は本発明の制御方法の可能な１実施形態である。本発明の制御方法はディスプレイ装置に適用されて、画面を表示させるようにする。先ず、第１の入力画像および第２の入力画像を受信する（ステップＳ６０１）。本発明では第１および第２の入力画像のフォーマットに限定はない。可能な１実施形態において、第１および第２の入力画像はいずれもＬＶＤＳのフォーマットである。別の可能な実施形態では、第１および第２の入力画像の解像度は１９２０×１０８０である。
【００３９】
第１および第２の入力画像を保存すると共に、処理画像および読取画像を生成する(ステップＳ６０２）。可能な１実施形態において、第１および第２の入力画像はＤＲＡＭ中に保存される。また、本発明ではどのように処理画像および読取画像を生成するかについて限定はない。可能な１実施形態において、処理画像および読取画像と第１および第２の入力画像とは関連している。
【００４０】
例えば、第１の期間において、第１の入力画像を保存する共に、第１の入力画像を読取画像とする。このとき、第１の入力画像の前に、前の画像情報はなく、よって事前設定画像を予め保存しておき、その事前設定画像を処理画像とすることができる。
【００４１】
第２の期間において、第２の入力画像を保存すると共に、第２の入力画像を別の読取画像とする。このとき、第２の入力画像の前の画像情報は第１の入力画像であるため、第１の入力画像を処理画像とする。よって、本実施形態では、処理画像は前の画像情報であり、読取画像は現在の画像情報である。
【００４２】
図７はステップＳ６０２の別の可能な実施方式である。ステップＳ７０１において、入力画像を圧縮して圧縮画像を生成する。次いでその圧縮画像を保存する（ステップＳ７０２）。ステップＳ７０３では、ステップＳ７０２に保存された圧縮画像を解凍し、この解凍の結果は読取画像または処理画像となり得る。
【００４３】
例えば、第１および第２の入力画像を受信した後に、第１および第２の入力画像を圧縮して、第１の圧縮画像および第２の圧縮画像を生成する。次いで、第１および第２の圧縮画像を記憶装置中に保存する。記憶装置が圧縮画像を保存するため、記憶空間をさほど使うことはなく、記憶装置の帯域幅を低減することができる。記憶装置が読み取られるときに、記憶装置に保存された圧縮画像を解凍し、かつ解凍後の結果を処理画像または読取画像とする。
【００４４】
次に、図６を参照されたいが、ステップＳ６０３にて処理画像を変換し、第１の変換画像を生成する。本実施形態では、変換がなされた後の第１の変換画像の解像度は処理画像の解像度よりも大きい。可能な１実施形態において、第１の変換画像の解像度は処理画像の解像度の４倍である。
【００４５】
読取画像を変換して、第２の変換画像を生成する(ステップＳ６０４)。本実施形態では、第２の変換画像の解像度は読取画像の解像度よりも大きい。可能な１実施形態において、第１および第２の変換画像の解像度は同じである。また、読取画像の解像度は処理画像の解像度と等しいものであってもよい。
【００４６】
第１および第２の変換画像を処理して出力画像を生成し(ステップＳ６０５）、次いで出力画像をディスプレイ装置に提供して画面を表示させる（ステップＳ６０６）。本発明では第１および第２の変換画像をどのように処理するかについて限定はない。可能な１実施形態において、ステップＳ６０５では第１および第２の変換画像に対しＯＤ処理を行うが、本発明はこれに限定はされない。その他の実施形態においては、ディスプレイ装置が必要とする画像情報を生成すべく第１および第２の変換画像に対しどのような画像処理を行ってもよい。
【００４７】
本実施形態において、ステップＳ６０２にて提供する処理画像および読取画像の解像度はディスプレイ装置の解像度よりも小さい。例えば、処理画像および読取画像の解像度は１９２０×１０８０であり得、ディスプレイ装置の解像度は３８４０×２１６０である。別の可能な実施形態では、ステップＳ６０３およびＳ６０４の第１および第２の変換画像の解像度はディスプレイ装置の解像度に等しい。
【００４８】
可能な１実施形態において、ステップＳ６０２では第１および第２の入力画像を直接ＤＲＡＭ中に保存する。このため、ＤＲＡＭに保存されたデータを直接、処理画像または読取画像とすることができる。別の可能な実施形態においては、ステップＳ６０２にて、先ず第１および第２の入力画像を圧縮してから、ＤＲＡＭ中に保存する。この例では、先ずＤＲＡＭに保存されたデータを解凍してから、解凍後の結果を処理画像または読取画像とする。
【００４９】
その他の実施形態において、ステップＳ６０４で変換する読取画像は現在の画像情報であるため、変換と同時に、変換が完了した画像データのセグメントを圧縮してから、圧縮結果を、ＤＲＡＭに元々保存されていた内容と置き換えることができる。圧縮後の結果を前の画像情報とすることができるため、ＤＲＡＭは変換が完了した画像をさらに保存する必要はなく、よって記憶装置の使用空間を減らすことができる。
【００５０】
また、圧縮前に、参考値に基づき、変換が完了した画像データのセグメントを調整してから、調整後の結果を圧縮することができる。可能な１実施形態において、変換が完了した画像データのセグメントは、参考値とＯＤ処理がなされることになる。別の可能な１実施形態では、参考値は前の画像情報である。
【００５１】
画像を圧縮し、かつ圧縮結果を記憶装置に元々保存されていた未圧縮画像と置き換えることによって、記憶装置の帯域幅を大幅に低減することができる。さらに、画像を圧縮しなくても、記憶装置に保存される画像の解像度はディスプレイパネルの解像度よりも小さいため、同様に記憶装置により大きな使用可能な空間を持たせることができる。
【００５２】
特に定義しない限り、本明細書の全ての用語（技術および科学用語を含む）はいずれも本発明の属する技術分野において通常の知識を有する者が一般に理解するものである。また、明らかに表示していない限り、用語の一般的な辞書における定義は、その関連する技術分野の文章における意義に一致すると解するべきであり、理想の状態または過度に正式な態と解すべきではない。
【００５３】
好ましい実施形態により本発明を以上のように開示したが、本発明はこれにより限定されることはなく、本発明が属する技術分野において通常の知識を有する者であれば、本発明の精神と範囲を逸脱することなく、いくらかの変更および修飾を加えることができる。よって、本発明の保護範囲は、添付の特許請求の範囲に定められたものが基準となる。
【符号の説明】
【００５４】
１００…ディスプレイ装置
１０１…ディスプレイパネル
１０２…タイミングコントローラー
１０３…フレキシブルプリント回路板
１１０、１２０…走査群
１３０…データ群
１６０…表示領域
１１１〜１１８…ゲートドライバ
１３１〜１５４…ソースドライバ
２１０、２２０…経路
２０１、３０１、４０１、５０１…受信ユニット
２０２〜２０３、３０２〜３０３、４０２〜４０３、５０２〜５０３…変換ユニット
２０４、３０４、４０４、５０４…処理ユニット
２０５、３０５、４０５、５０５…保存モジュール
３０６、４０６、５０６、５０９…圧縮モジュール
３０７、４０７、５０７、５１０…解凍モジュール
４０８、５０８…調整モジュール
ＳＩ、ＳＩ１、ＳＩ２…入力画像
ＳＤＡＴＡ、ＳＤＡＴＡ１〜ＳＤＡＴＡ２…出力画像
ＳＲ１、ＳＲ２…読取画像
ＳＰ０〜ＳＰ１…処理画像
ＳＴ２１〜ＳＴ２２、ＳＴ３１〜ＳＴ３２…変換画像
ＳＡ１〜ＳＡ２…調整画像
ＳＲＣ０〜ＳＲＣ１、ＳＡＣ０〜ＳＡＣ２、ＳＣ１〜ＳＣ２…圧縮画像
ＳＲＣＤ０〜ＳＲＣＤ１、ＳＡＣＤ０〜ＳＡＣＤ１、ＳＣＤ１〜ＳＣＤ２…解凍画像
Ｓ６０１〜Ｓ６０６、Ｓ７０１〜Ｓ７０３…ステップ
【図１】
2013246440.tif 000003
【図２】
2013246440.tif 000004
【図３】
2013246440.tif 000005
【図４】
2013246440.tif 000006
【図５】
2013246440.tif 000007
【図６】
2013246440.tif 000008
【図７】
2013246440.tif 000009